(57)【要約】    【課題】  スポーツ障害として発生頻度の高いシンスプリントについて、装着によってシンスプリントによる疼痛を効果的に軽減することのできる、シンスプリント用装具を提供すること。    【解決手段】  シンスプリント用装具１は、患部を含む脛を覆うための脛被覆部２と、該脛被覆部２から続いて設けられ下腿部を巻いて該装具１自身に着脱自在に締着されるための締着部３と、該脛被覆部２の内面側に設けられ患部を直接圧迫するための患部圧迫パッド４と、該脛被覆部２の外面側に設けられ該患部圧迫パッド４を外側から圧迫するための外側圧迫パッド５とを備えてなることを、主たる構成とする。【選択図】  図１
2006158833.tif 000002
【特許請求の範囲】
【請求項１】
下腿部に巻き付けて用いるシンスプリント用装具であって、該装具は、患部を含む脛を覆うための脛被覆部と、該脛被覆部から続いて設けられ下腿部を巻いて該装具自身に着脱自在に締着されるための締着部と、該脛被覆部の内面側に設けられ患部を直接圧迫するための患部圧迫パッドと、該脛被覆部の外面側に設けられ該患部圧迫パッドを外側から圧迫するための外側圧迫パッドとを備えてなることを特徴とする、シンスプリント用装具。
【請求項２】
前記患部圧迫パッドは、前脛骨筋・下腿三頭筋等の筋の収縮を阻害せずかつ患部である脛骨内側部を圧迫するような形状およびサイズにより形成されていることを特徴とする、請求項１に記載のシンスプリント用装具。
【請求項３】
前記患部圧迫パッドは、前脛骨筋・下腿三頭筋等の筋の収縮を阻害せずかつ患部である脛骨内側部を、そこに付着するヒラメ筋・長趾屈筋・深下腿筋膜等からなる付着部へのストレスを軽減するのに充分な程度に圧迫することのできる硬度の材料により形成され、一方前記脛被覆部は、筋の収縮を阻害しないよう伸縮性の材料により形成されていることを特徴とする、請求項１に記載のシンスプリント用装具。
【請求項４】
前記患部圧迫パッドはプラステゾーテを用いて形成されていることを特徴とする、請求項３に記載のシンスプリント用装具。
【請求項５】
前記患部圧迫パッドは、前記脛被覆部の側方向端部に設けられていることを特徴とする、請求項１ないし４のいずれかに記載のシンスプリント用装具。
【請求項６】
前記外側圧迫パッドは、前記患部圧迫パッドが被覆する身体部分を均等に面圧迫できるよう、本装具を装着した際に該患部圧迫パッドの略中央部に対向するように設けられていることを特徴とする、請求項５に記載のシンスプリント用装具。
【請求項７】
前記脛被覆部には、本装具装着時の蒸れを防止するための通気口が設けられていることを特徴とする、請求項１ないし６のいずれかに記載のシンスプリント用装具。
【請求項８】
前記締着部はマジックテープ（登録商標）等の面ファスナーを用いて形成されていることを特徴とする、請求項１ないし７のいずれかに記載のシンスプリント用装具。
【請求項９】
前記締着部は前記脛被覆部から延設される一または複数の内側締着用帯状片部と、該脛被覆部の外側に重ねて設けられる一または複数の外側締着用帯状片部とからなり、該外側締着用帯状片部はこれが巻かれて装着された時に、前記外側圧迫パッドを被覆するように配置されていることを特徴とする、請求項１ないし８のいずれかに記載のシンスプリント用装具。
【発明の詳細な説明】
【技術分野】
【０００１】
本発明はシンスプリント用装具に係り、特に、装着によってシンスプリントによる疼痛を効果的に軽減することのできる、シンスプリント用装具に関する。
【背景技術】
【０００２】
「シンスプリント（shin splint）」とは、脛骨内側の中央１／３から下端１／３にかけて出現する疼痛のことである。このような状態は、主に長距離ランナーやジャンプ動作を頻繁に行うスポーツ選手に認められるスポーツ障害である。スポーツ種目としては、中長距離陸上選手、バスケットボール、野球、サッカーなど多くの種目で認められる。なお、海外では「medial tibial (stress) syndrome」と呼ばれる。
【０００３】
シンスプリントの発生頻度としては、米国の報告ではランニング障害の１０〜１５％に発生し、すべてのスポーツ選手では約６０％の頻度で認められることが報告されている（Bates，1985）。国内の報告ではランニング障害例で４１％に認められ、ランニング障害のなかでも最も頻度が高いとされている（萬納寺、1988）。
【０００４】
シンスプリントによる疼痛部位は脛骨内側の中央１／３から下端１／３であり、これはヒラメ筋、長趾屈筋、深下腿筋膜などが付着する部位である。シンスプリントの発生原因は、ランニングやジャンプ動作を繰り返し行うことによって、これらの筋の脛骨付着部に繰り返しのストレスが加わることである。つまり、練習が過度に実施された場合、すなわちoveruse syndrome（使いすぎ症候群、過用性症候群）で発生する。同様に骨と筋の付着部への繰り返しのストレスによって疼痛が発生するスポーツ障害としては、テニス肘、オスグット病などが挙げられる。なお、テニス肘発症時の痛みを緩和するための技術としては、後掲特許文献１に係るものが提案されている。
【０００５】
【特許文献１】特開平６−３３５４８８号公報。「テニス肘用装具」。
【発明の開示】
【発明が解決しようとする課題】
【０００６】
さて、本願発明者がスポーツ外傷の未然予防対策を見出すために実施したのべ５００例に及ぶメディカルチェック（スポーツ外傷と関連する身体特性、例えば、柔軟性低下、筋力低下などの有無について検査すること）の結果、全体の約３０％にシンスプリントを有していることが認められた。そこで、シンスプリントの予防、治療について先行技術を検討したが、装具による疼痛軽減方法に係る報告は、国内・外の専門誌等においても認められなかった。
【０００７】
すなわち本願発明が解決しようとする課題は、上記従来技術の問題点を除き、スポーツ障害として発生頻度の高いシンスプリントについて、装着によってシンスプリントによる疼痛を効果的に軽減することのできる、シンスプリント用装具を提供することである。
【課題を解決するための手段】
【０００８】
本願発明者は上記課題について検討した結果、ヒラメ筋、長趾屈筋、深下腿筋膜などが付着する脛骨内側部（付着部）を圧迫し、付着部へのストレスを軽減する装具を構成することによって上記課題の解決が可能であることを見出し、本発明に至った。すなわち、上記課題を解決するための手段として本願で特許請求される発明、もしくは少なくとも開示される発明は、以下のとおりである。
【０００９】
（１）  下腿部に巻き付けて用いるシンスプリント用装具であって、該装具は、患部を含む脛を覆うための脛被覆部と、該脛被覆部から続いて設けられ下腿部を巻いて該装具自身に着脱自在に締着されるための締着部と、該脛被覆部の内面側に設けられ患部を直接圧迫するための患部圧迫パッドと、該脛被覆部の外面側に設けられ該患部圧迫パッドを外側から圧迫するための外側圧迫パッドとを備えてなることを特徴とする、シンスプリント用装具。
（２）  前記患部圧迫パッドは、前脛骨筋・下腿三頭筋等の筋の収縮を阻害せずかつ患部である脛骨内側部を圧迫するような形状およびサイズにより形成されていることを特徴とする、（１）に記載のシンスプリント用装具。
（３）  前記患部圧迫パッドは、前脛骨筋・下腿三頭筋等の筋の収縮を阻害せずかつ患部である脛骨内側部を、そこに付着するヒラメ筋・長趾屈筋・深下腿筋膜等からなる付着部へのストレスを軽減するのに充分な程度に圧迫することのできる硬度の材料により形成され、一方前記脛被覆部は、筋の収縮を阻害しないよう伸縮性の材料により形成されていることを特徴とする、（１）に記載のシンスプリント用装具。
（４）  前記患部圧迫パッドはプラステゾーテを用いて形成されていることを特徴とする、（３）に記載のシンスプリント用装具。
（５）  前記患部圧迫パッドは、前記脛被覆部の側方向端部に設けられていることを特徴とする、（１）ないし（４）のいずれかに記載のシンスプリント用装具。
（６）  前記外側圧迫パッドは、前記患部圧迫パッドが被覆する身体部分を均等に面圧迫できるよう、本装具を装着した際に該患部圧迫パッドの略中央部に対向するように設けられていることを特徴とする、（５）に記載のシンスプリント用装具。
【００１０】
（７）  前記脛被覆部には、本装具装着時の蒸れを防止するための通気口が設けられていることを特徴とする、（１）ないし（６）のいずれかに記載のシンスプリント用装具。
（８）  前記締着部はマジックテープ（登録商標）等の面ファスナーを用いて形成されていることを特徴とする、（１）ないし（７）のいずれかに記載のシンスプリント用装具。
（９）  前記締着部は前記脛被覆部から延設される一または複数の内側締着用帯状片部と、該脛被覆部の外側に重ねて設けられる一または複数の外側締着用帯状片部とからなり、該外側締着用帯状片部はこれが巻かれて装着された時に、前記外側圧迫パッドを被覆するように配置されていることを特徴とする、（１）ないし（８）のいずれかに記載のシンスプリント用装具。
【発明の効果】
【００１１】
本発明のシンスプリント用装具は上述のように構成されるため、これによれば、スポーツ障害として発生頻度の高いシンスプリントについて、装着によってシンスプリントによる疼痛を効果的に軽減することができる。
【００１２】
本装具の疼痛軽減のメカニズムは、ヒラメ筋、長趾屈筋、深下腿筋膜などが付着する脛骨内側部を本装具で圧迫し、この付着部へのストレスを軽減することで疼痛軽減効果を得るというものである。したがってその構造上、患部である脛骨内側部のみを圧迫できるため、前脛骨筋、下腿三頭筋などといった筋の収縮を阻害せず、装着によっても運動能力の低下を起こすことがないため、疼痛を軽減しつつスポーツ・練習を実施することができ、便利である。
【発明を実施するための最良の形態】
【００１３】
以下、本発明を図面により詳細に説明する。
図１は、本発明のシンスプリント用装具の基本構成を示す説明図である。図中、（ａ）は身体に接触する内側、（ｂ）は外側を示す。
【００１４】
図示するように本シンスプリント用装具１は、下腿部に巻き付けて用いるものであって、患部を含む脛を覆うための脛被覆部２と、該脛被覆部２から続いて設けられ下腿部を巻いて該装具１自身に着脱自在に締着されるための締着部３と、該脛被覆部２の内面側に設けられ患部を直接圧迫するための患部圧迫パッド４と、該脛被覆部２の外面側に設けられ該患部圧迫パッド４を外側から圧迫するための外側圧迫パッド５とを備えてなることを、主たる構成とする。
【００１５】
かかる構成により、本シンスプリント用装具１は、下腿部に巻き付けられて用いられる。すなわち、該患部圧迫パッド４が患部を直接圧迫するように患部に当てられた状態で、該脛被覆部２によってシンスプリント患部を含む脛が覆われ、本装具１は脛を含む下腿部に、脛にまで戻る状態で巻かれて、該締着部３によって本装具１自身に着脱自在に締着される。この締着により、該患部圧迫パッド４は患部に対して圧迫され、患部に対する該患部圧迫パッド４による直接の圧迫がなされる。その際、該締着による圧迫は該外側圧迫パッド５を介することによってより確実かつ強く、該患部圧迫パッド４に対してなされる。
【００１６】
本発明のシンスプリント用装具１の素材としては、人体に直接巻き付けて用いるのに問題のない素材であれば、公知のものを適宜用いることができる。
【００１７】
該患部圧迫パッド４、該外側圧迫パッド５についても同様であり、かつ、患部の圧迫に適した硬度・形状・構造のものを、適宜用いることができる。
【００１８】
図では、本装具１の締着部３が設けられる部分は、３つの帯状部となっているが、本発明がかかる形状に限定されないことはいうまでもない。すなわち、帯状部の数は、１でも２でも、あるいは４以上でも、巻きと締着の作用をなすことができる。また帯状部の形状も適宜設計することができる。
【００１９】
図において本シンスプリント用装具１は、特にその患部圧迫パッド４が、前脛骨筋・下腿三頭筋等の筋の収縮を阻害せずかつ患部である脛骨内側部を圧迫するような形状およびサイズにより形成された構成とすることができる。そのために、図示するように、装着した場合に上下方向に長い帯状の形状とすることができる。
【００２０】
かかる構成により、患部圧迫パッド４は、前脛骨筋・下腿三頭筋等の筋の収縮を阻害せずに患部である脛骨内側部を充分に圧迫し、装着によっても運動能力の低下を起こさない状態で、疼痛を軽減しつつスポーツ・練習の実施を可能とする。
【００２１】
図において本シンスプリント用装具１は、前記患部圧迫パッド４が、前脛骨筋・下腿三頭筋等の筋の収縮を阻害せずかつ患部である脛骨内側部を、そこに付着するヒラメ筋・長趾屈筋・深下腿筋膜等からなる付着部へのストレスを軽減するのに充分な程度に圧迫することのできる硬度の材料により形成され、一方前記脛被覆部２は、筋の収縮を阻害しないよう伸縮性の材料により形成された構成とすることができる。
【００２２】
特に該患部圧迫パッド４として、プラステゾーテを用いることもできるが、本発明がこれに限定されないことは前述の通りである。
【００２３】
図２は、本発明の実施例について、その外側面を示す説明図である。
図３は、本発明の実施例について、その内側面を示す説明図である。
図４は、本発明の実施例について、これを身体に装着した状態の説明図である。
なお、図２および３に示した実施例は、これが装着されるとき、図２ではその上方が下腿近位部、下方が下腿遠位部、左方が脛骨内側面に相当する。一方、図３では、その上方が下腿遠位部、下方が下腿近位部である。
【００２４】
これらの図に例示するように、本発明シンスプリント用装具１１は、その患部圧迫パッド１４を、前記脛被覆部１２の側方向端部に設けることとすることができる。
【００２５】
かかる構成により、本シンスプリント用装具１１は、該脛被覆部１２の側方高端部の該患部圧迫パッド１４が患部Ｓを直接圧迫するように患部Ｓに当てられた状態で、該脛被覆部１２によってシンスプリント患部を含む脛が覆われ、本装具１１は脛を含む下腿部に、脛にまで戻る状態で巻かれて、該締着部１３Ｍ等によって本装具１１自身に着脱自在に締着される。該患部圧迫パッド１４は該脛被覆部１２の端部にあるため、患部Ｓへの位置決めが容易になされる。本装具１１の締着により、該患部圧迫パッド１４は患部Ｓに対して圧迫され、患部Ｓに対する該患部圧迫パッド１４による直接の圧迫がなされる。その際、該締着による圧迫は該外側圧迫パッド１５を介することによってより確実かつ強く、該患部圧迫パッド１４に対してなされる。
【００２６】
これらの図に例示するように、本シンスプリント用装具１１は、その外側圧迫パッド１５を、前記患部圧迫パッド１４が被覆する身体部分（患部Ｓ）を均等に面圧迫できるよう、本装具１１を装着した際に該患部圧迫パッド１４の略中央部に対向するように設ける構成とすることができる。
【００２７】
かかる構成により、該外側圧迫パッド１５によって、該患部圧迫パッド１４は被覆する身体部分を均等に面圧迫することができ、患部Ｓに対する均等な圧迫がなされ、疼痛軽減効果をより高めることができる。
【００２８】
これらの図に例示するように、本シンスプリント用装具１１では、前記脛被覆部１２に、本装具１１装着時の蒸れを防止するための通気口１６を設けることができる。
【００２９】
かかる構成により、本装具１１を身体に装着した際の蒸れが防止され、快適なスポーツ・練習の実施や日常生活を行うことができるとともに、装着時における体調管理にも効果がある。
【００３０】
これらの図に例示するように、本シンスプリント用装具１１は、前記締着部１３を、マジックテープ（登録商標）等の面ファスナー１３Ｍを用いて形成することができる。面ファスナーとしては、公知のものを適宜用いることができる。
【００３１】
これらの図に例示するように、本シンスプリント用装具１１は、前記締着部１３を、前記脛被覆部１２から延設される一または複数の内側締着用帯状片部１３Ａ等と、該脛被覆部１２の外側に重ねて設けられる一または複数の外側締着用帯状片部１３Ｃ等とからなるものとし、また、該外側締着用帯状片部１３Ｃ等を、これが巻かれて装着された時に、前記外側圧迫パッド１５を被覆するように配置されたものとすることができる。
【００３２】
図の例では、該内側締着用帯状辺部１３Ａ等は２枚設けられ、また該外側締着用帯状辺部Ｃ等は、１枚のみが設けられているが、もちろんこれに限定されない。
【００３３】
かかる構成により、本装具１１を締着、装着すれば、該外側締着用帯状片部１３Ｃ等によって該外側圧迫パッド１５が確実に被覆されて圧迫され、該外側圧迫パッド１５により該患部圧迫パッド１４は圧迫され、患部に対する該患部圧迫パッド１４による直接の圧迫は、一層確実かつ強力になされる。
【実施例】
【００３４】
図２、３、４（前出）は、本発明の実施例を示すものであるが、たとえば具体的には、後述のような仕様により構成することができる。
なお、図２および３に示した実施例は、これが装着されるとき、図２ではその上方が下腿近位部、下方が下腿遠位部、左方が脛骨内側面に相当する。一方、図３では、その上方が下腿遠位部、下方が下腿近位部である。
【００３５】
実施例の仕様
本装具１１：素材＝ネオプレーンパイルジャージ、厚さ３ｍｍ
脛被覆部１２：縦幅６５ｍｍ（脛骨内側面側）、横幅３８０ｍｍ
通気口１６：直径５ｍｍ
圧迫ベルト（帯状辺部１３Ａ等）：素材＝ネオプレーンパイルジャージ、厚さ３ｍｍ
締着部１３Ｍ、２３Ｍ：マジックテープ（登録商標）使用、２５ｍｍ幅
外側圧迫パッド１５：素材＝ラバー、白色、厚さ３ｍｍ、１５ｍｍＸ１８ｍｍ
患部圧迫パッド１４：素材＝プラステゾーテ、厚さ３ｍｍ、８０ｍｍＸ２０ｍｍ
【００３６】
本実施例において、帯状片部は、上方の片部１３Ａ（下腿近位部）が下方の片部１３Ｂ（下腿遠位部）に対して、約５ｃｍ程度長くなるように形成されている。これは、通常、足の形状として末梢部（下腿遠位部）が細くなっていることを考慮したものである。すなわち、もし、上方の片部と下方の片部を同じ長さにした場合、下方の片部が皮膚から浮き上がってしまうため、下方の片部を上方の片部より短くすることで本装具を皮膚に密着させることができ、また、本装具が下方へ滑り落ちるのを防ぐことができる。したがって、上記５ｃｍは一例であり、要するに上方の片部を下方の片部よりも長くすることによって、かかる効果を得ることができる。
【産業上の利用可能性】
【００３７】
本発明のシンスプリント用装具は上述のように構成されるため、スポーツ障害として発生頻度の高いシンスプリントについて、装着によってシンスプリントによる疼痛を効果的に軽減することができる。したがって、産業上利用価値が高い発明である。
【図面の簡単な説明】
【００３８】
【図１】本発明のシンスプリント用装具の基本構成を示す説明図である。
【図２】本発明の実施例について、その外側面を示す説明図である。
【図３】本発明の実施例について、その内側面を示す説明図である。
【図４】本発明の実施例について、これを身体に装着した状態の説明図である。
【符号の説明】
【００３９】
１…シンスプリント用装具
２…脛被覆部
３…締着部
４…患部圧迫パッド
５…外側圧迫パッド
１１…シンスプリント用装具
１２…脛被覆部
１３Ａ、１３Ｂ…内側締着用帯状辺部
１３Ｃ…外側締着用帯状辺部
１３Ｍ、２３Ｍ…締着部（面ファスナー）
１４…患部圧迫パッド
１５…外側圧迫パッド
１６…通気口
Ｓ…患部
【図１】
2006158833.tif 000003
【図２】
2006158833.tif 000004
【図３】
2006158833.tif 000005
【図４】
2006158833.tif 000006